(57)【要約】【課題】  異なる質量を有する複数の試片を選択的に挿入して防振部材の総質量を変化することで、配管の振動を低減できる配管用防振装置を提供する。【解決手段】  配管２の振動を低減するための防振部材１を含む配管用防振装置であって、防振部材１は、本体１０と、本体１０に形成されるとともに、配管２が挿入される配管挿入ホール１１と、本体１０に形成されるとともに、異なる質量を有する一つ以上の試片１６，１７，１８が挿入される一つ以上の試片挿入ホール１２，１３，１４とを備える。【選択図】      図１
2005337493.tif 000002
【特許請求の範囲】
【請求項１】
配管の振動を低減するための防振部材を含む配管用防振装置であって、
前記防振部材は、本体と；
前記本体に形成されるとともに、前記配管が挿入される配管挿入ホールと；
前記本体に形成されるとともに、異なる質量を有する一つ以上の試片が挿入される一つ以上の試片挿入ホールとを備えることを特徴とする配管用防振装置。
【請求項２】
前記複数の試片挿入ホールは、異なる直径を有することを特徴とする請求項１記載の配管用防振装置。
【請求項３】
前記一つ以上の試片挿入ホールの内側には、凹溝が形成され、前記一つ以上の試片の外側には、前記一つ以上の試片挿入ホールの凹溝に対応する突出部が形成されることを特徴とする請求項１記載の配管用防振装置。
【請求項４】
前記配管挿入ホールは、前記本体に偏心して形成され、前記一つ以上の試片挿入ホールは、前記配管挿入ホールの周囲に形成されることを特徴とする請求項１記載の配管用防振装置。
【請求項５】
前記本体は、ゴム材からなり、前記試片は、スチール材からなることを特徴とする請求項１記載の配管用防振装置。
【請求項６】
圧縮機と;
前記圧縮機で圧縮された冷媒の流れを案内する冷媒配管と;
相互異なる質量を有する複数の試片と;
前記冷媒配管が挿入される配管挿入ホール、および前記複数の試片から選ばれた一つ以上の試片が挿入される一つ以上の試片挿入ホールを備えた防振部材とを含むことを特徴とする配管用防振装置。
【請求項７】
前記防振部材は、前記一つ以上の試片挿入ホールに挿入する前記一つ以上の試片によって総質量が変化することを特徴とする請求項６記載の配管用防振装置。
【請求項８】
前記防振部材は、前記一つ以上の試片挿入ホールに挿入する前記一つ以上の試片によって分布質量が変化することを特徴とする請求項６記載の配管用防振装置。
【発明の詳細な説明】
【技術分野】
【０００１】
本発明は、配管用防振装置に関するもので、詳しくは、相互異なる質量を有する複数の試片を挿入して配管の振動を低減する配管固定装置に関するものである。
【背景技術】
【０００２】
空気調和機、冷蔵庫などの冷却装置を用いる機器には、液体やガスを通過させる各配管が設けられる。
【０００３】
一般に、配管は、ケーシングの内部に設けられて圧縮機と熱交換器とを連結し、圧縮機および熱交換器に冷媒の流れを案内するか、冷媒の流量を調節するためのソレノイドバルブ、毛細管などを互いに連結する。しかしながら、圧縮機の駆動時に各配管が互いにぶつかり、配管に各種の装置を熔接して固定するため、配管の振動が熔接部位に衝撃を加えることで亀裂が発生する。
【０００４】
先行技術には、配管の振動を低減するために、ゴムからなる円板の中心部に配管を挿入する防振部材が開示されている。
【０００５】
しかしながら、圧縮機により発生する配管の振動は、圧縮機の運転周波数によって変化し、配管には、方向性を有する振動特性があるため、既存の防振部材では、配管の振動を効果的に吸収することができなかった。
【０００６】
また、円板に配管挿入ホールを偏心して形成する方式が提案されたが、この方式も、防振部材の初期設置環境と比較して配管の周囲環境が変化すると、配管の振動特性が変化して振動低減効果が不良になる。よって、異なる重さを有する他の防振部材を適用するために、既に設置された防振部材を除去し、他の適切な防振部材を配管に設置すべきであり、防振部材の設置が煩雑になる。
【０００７】
また、異なる質量を有する多様な防振部材を備えるべきであるという負担があった。
【発明の開示】
【発明が解決しようとする課題】
【０００８】
本発明は、前記問題点を解決するためになされたもので、異なる質量を有する複数の試片を選択的に挿入して防振部材の総質量を変化することで、配管の振動を低減できる配管用防振装置を提供することを目的とする。
【課題を解決するための手段】
【０００９】
前記目的を達成するために、本発明は、配管の振動を低減するための防振部材を含む配管用防振装置であって、前記防振部材は、本体と、前記本体に形成されるとともに、前記配管が挿入される配管挿入ホールと、前記本体に形成されるとともに、異なる質量を有する一つ以上の試片が挿入される一つ以上の試片挿入ホールと、を備えることを特徴とする。
【００１０】
前記複数の試片挿入ホールは、異なる直径を有することを特徴とする。前記一つ以上の試片挿入ホールの内側には、凹溝が形成され、前記一つ以上の試片の外側には、前記一つ以上の試片挿入ホールの凹溝に対応する突出部が形成されることを特徴とする。
【００１１】
前記配管挿入ホールは、前記本体に偏心して形成され、前記一つ以上の試片挿入ホールは、前記配管挿入ホールの周囲に形成されることを特徴とする。
【００１２】
前記本体は、ゴム材からなり、前記試片は、スチール材からなることを特徴とする。
【００１３】
また、前記目的を達成するために、本発明は、圧縮機と;前記圧縮機で圧縮された冷媒の流れを案内する冷媒配管と;相互異なる質量を有する複数の試片と;前記冷媒配管が挿入される配管挿入ホール、および前記複数の試片から選ばれた一つ以上の試片が挿入される一つ以上の試片挿入ホールを備えた防振部材とを含むことを特徴とする。
【００１４】
前記防振部材は、前記一つ以上の試片挿入ホールに挿入する前記一つ以上の試片によって総質量が変化することを特徴とする。前記防振部材は、前記一つ以上の試片挿入ホールに挿入する前記一つ以上の試片によって分布質量が変化することを特徴とする。
【発明の効果】
【００１５】
本発明によると、異なる質量を有する複数の試片を試片挿入ホールに選択的に挿入することで、防振部材の総質量および分布質量を変化するため、この変化された配管の振動特性に符合するための防振部材の調節作業が簡単になる。
【００１６】
また、本発明は、防振部材の初期設置環境と比較して配管の周囲環境が変化する場合も、配管の振動特性に合せて防振部材を調節することで、振動低減効果を良好に維持できる。
【発明を実施するための最良の形態】
【００１７】
以下、本発明の実施形態を図面に基づいて説明する。
【００１８】
本発明の実施形態による配管用防振装置は、図１に示すように、配管２の振動を低減するための防振部材１を備える。また、この防振部材１は、ゴム材からなる円板状の本体１０と、この本体１０に形成されるとともに、配管２が挿入される配管挿入ホール１１と、本体１０に形成されるとともに、相互異なる直径を有する複数の試片挿入ホール１２，１３，１４とを備える。
【００１９】
配管挿入ホール１１の一側には、配管２を容易に挿入するためのスリット１１ａが形成される。
【００２０】
一方、複数の試片挿入ホール１２，１３，１４を比較すると、第１試片挿入ホール１２の直径は、第２試片挿入ホール１３よりも小さく、第２試片挿入ホール１３は、第３試片挿入ホール１４よりも小さい。
【００２１】
第１乃至第３試片挿入ホール１２，１３，１４には、それら各直径に対応して異なる直径を有する第１乃至第３試片１６，１７，１８を選択的に挿入する。
【００２２】
第１乃至第３試片１６，１７，１８は、スチール材質からなり、相互異なる質量を有する。
【００２３】
複数の試片挿入ホール１２，１３，１４の内側には、一度挿入された試片１６，１７，１８が抜け出ることを防止するための凹溝１２ａ，１３ａ，１４ａが形成される。また、これら凹溝１２ａ，１３ａ，１４ａに対応して、複数の試片１６，１７，１８の外周面に突出部１６ａ，１７ａ，１８ａが形成される。
【００２４】
第１試片挿入ホール１２に第１試片１６を挿入した場合、図２のように、第１試片挿入ホール１２の凹溝１２ａに第１試片１６の突出部１６ａが係止されるため、防振部材１が揺れる場合も、第１試片１６が第１試片挿入ホール１２から容易に抜け出ることを防止できる。
【００２５】
複数の試片１６，１７，１８を選択すると、多様な質量を組み合わせられるため、使用者によって選ばれた一つ以上の試片をそれらに対応する試片挿入ホールに挿入することで、防振部材１の総質量が変化するようになる。例えば、第１乃至第３試片１６，１７，１８は、それぞれ１０ｇ、２０ｇ、３０ｇを有する。
【００２６】
一方、配管挿入ホール１１は、本体１０に偏心して形成され、複数の試片挿入ホール１２，１３，１４は、配管挿入ホール１１の周囲に配置される。複数の試片挿入ホール１２，１３，１４に試片１６，１７，１８を選択的に挿入すると、防振部材１の分布質量が変化するようになる。このようになると、防振部材１の初期設置環境と比較して配管の周囲環境が変化する場合、それによって防振部材１の振動特性が変化するが、このとき、方向性を考慮して防振部材１の分布質量を設定することができる。
【００２７】
図３は、本発明の実施形態による配管用防振装置を空気調和機に適用した例を示した部分切欠斜視図である。
【００２８】
室外機ケーシング３の内部には、圧縮機４および熱交換器５などの各駆動装置が設置され、圧縮機４と熱交換器５との間には、複数個の冷媒配管２が相互交差して配置される。また、この冷媒配管２には、防振部材１が設置される。
【００２９】
そのため、圧縮機４の運転時、振動が発生する場合も、冷媒配管２に設置された防振部材１によって配管２の振動を低減することができる。
【図面の簡単な説明】
【００３０】
【図１】本発明の実施形態による配管用防振装置を示した斜視図である。
【図２】図１のＡ-Ａ線断面図である。
【図３】本発明の実施形態による配管用防振装置を空気調和機に適用した例を示した部分切欠斜視図である。
【符号の説明】
【００３１】
１    防振部材
２    配管
１０  本体
１１  配管挿入ホール
１２，１３，１４  試片挿入ホール
１２ａ，１３ａ，１４ａ  凹溝
１６，１７，１８  試片
１６ａ，１７ａ，１８ａ  突出部
【図１】
2005337493.tif 000003
【図２】
2005337493.tif 000004
【図３】
2005337493.tif 000005